(57)【特許請求の範囲】
【請求項１】
複数のセルがスタック両端のエンドプレート（ＥＰ）の間に積層された燃料電池スタックであって、
スタック発電部のエンドセルと前記両端のエンドプレート（ＥＰ）との間にはスタックの水排出のためのダミーセルとしてアノードに水素が流入するがカソードに空気が流入することがなくカソードの水排出だけが行われるカソードダミーセル（ＣＤ）とカソードに空気が流入するがアノードに水素が流入することがなくアノードの水排出だけが行われるアノードダミーセル（ＡＤ）がそれぞれ少なくとも一側に１つ以上積層されることを特徴とする水排出構造を有する燃料電池スタック。
【請求項２】
前記カソードダミーセル（ＣＤ）は、カソードプレート（ＣＰ）及びエンドアノードプレート（ＥＡＰ）分離板を含んで形成され、前記アノードダミーセル（ＡＤ）は、アノードプレート（ＡＰ）及びエンドカソードプレート（ＥＣＰ）分離板を含んで形成されることを特徴とする請求項１に記載の水排出構造を有する燃料電池スタック。
【請求項３】
前記エンドアノードプレート（ＥＡＰ）は、アノードプレート（ＡＰ）の水素入口／出口ホールが除去されて形成され、前記エンドカソードプレート（ＥＣＰ）は、カソードプレート（ＣＰ）の空気入口／出口ホールが除去されて形成されることを特徴とする請求項２に記載の水排出構造を有する燃料電池スタック。
【請求項４】
前記カソードダミーセル（ＣＤ）のカソードプレート（ＣＰ）とエンドアノードプレート（ＥＡＰ）との間と、前記アノードダミーセル（ＡＤ）のアノードプレート（ＡＰ）とエンドカソードプレート（ＥＣＰ）との間には、気体拡散層（ＧＤＬ）をさらに含むことを特徴とする請求項２に記載の水排出構造を有する燃料電池スタック。
【請求項５】
前記カソードダミーセル（ＣＤ）及びアノードダミーセル（ＡＤ）は、膜電極接合体（ＭＥＡ）を含まず、２つの気体拡散層（ＧＤＬ）が互いに接合して積層されることを特徴とする請求項４に記載の水排出構造を有する燃料電池スタック。
【請求項６】
前記エンドセルまたはダミーセルがスタック両端のエンドプレート（ＥＰ）に接する面には、ダミーエンドプレートとしてエンドカソードプレート（ＥＣＰ）またはエンドアノードプレート（ＥＡＰ）がさらに積層されることを特徴とする請求項１に記載の水排出構造を有する燃料電池スタック。
【請求項７】
スタック両端のエンドプレート（ＥＰ）と前記ダミーエンドプレートとの間には気体拡散層（ＧＤＬ）がさらに積層されることを特徴とする請求項６に記載の水排出構造を有する燃料電池スタック。
【発明の詳細な説明】
【技術分野】
【０００１】
本発明は、水排出構造を有する燃料電池スタックに係り、より詳しくは、従来のアノードプレート（ＡＰ）及びカソードプレート（ＣＰ）を簡単に変形したエンドアノードプレート（ＥＡＰ）及びエンドカソードプレート（ＥＣＰ）を上記カソードプレート（ＣＰ）及びアノードプレート（ＡＰ）と組み合わせてダミーセルを構成し、上記ダミーセルをエンドセル部に位置させるという簡単な構成により効果的に凝縮水を排出し、セルへの水の流入を最小化できる水排出構造を有する燃料電池スタックに関する。
【背景技術】
【０００２】
燃料電池は、燃料が持っている化学エネルギを燃焼により熱に変えるのではなく、燃料電池スタック内で電気化学的に反応させて電気エネルギーに変換させる一種の発電装置であり、産業用、家庭用、及び車両駆動用電力を供給するだけでなく、小型の電気／電子製品、特に携帯用装置の電力供給にも適用される。
このような燃料電池において、車両駆動のための電力供給源として最も多く研究されている高分子電解質膜燃料電池（ＰＥＭＦＣ：Ｐｏｌｙｍｅｒ  Ｅｌｅｃｔｒｏｌｙｔｅ  Ｍｅｍｂｒａｎｅ  Ｆｕｅｌ  Ｃｅｌｌ、Ｐｒｏｔｏｎ  Ｅｘｃｈａｎｇｅ  Ｍｅｍｂｒａｎｅ  Ｆｕｅｌ  Ｃｅｌｌ）は、水素イオンが移動する電解質膜を中心として膜の両側に電気化学反応が起こる触媒電極層が付着された膜電極接合体（ＭＥＡ：Ｍｅｍｂｒａｎｅ  Ｅｌｅｃｔｒｏｄｅ  Ａｓｓｅｍｂｌｙ）、反応基体を均一に分布させ、発生した電気エネルギーを伝達する役割を担う気体拡散層（ＧＤＬ：Ｇａｓ  Ｄｉｆｆｕｓｉｏｎ  Ｌａｙｅｒ）、反応基体及び冷却水の気密性と適正締結圧を維持するためのガスケット、及び締結器具、そして反応基体及び冷却水を移動させる分離板（ＢＰ：Ｂｉｐｏｌａｒ  Ｐｌａｔｅ）を含んで構成される。
【０００３】
この時、上記分離板（ＢＰ）は、水素が供給される流路が形成されたアノードプレート（ＡＰ：Ａｎｏｄｅ  Ｐｌａｔｅ）と、酸素を含む空気が供給される流路が形成されたカソードプレート（ＣＰ：Ｃａｔｈｏｄｅ  Ｐｌａｔｅ）に分けられる。
上記燃料電池において、燃料である水素と酸化剤である酸素（空気）は、それぞれアノードプレート（ＡＰ）とカソードプレート（ＣＰ）の流路を介して膜電極接合体のアノード（ａｎｏｄｅ）とカソード（ｃａｔｈｏｄｅ）に供給される。アノードに供給された水素は電解質膜の両側に構成された電極層の触媒により、水素イオン（ｐｒｏｔｏｎ、Ｈ＋）と電子（ｅｌｅｃｔｒｏｎ、ｅ−）に分解され、このうち、水素イオンのみが選択的に陽イオン交換膜である電解質膜を通過してカソードに伝達され、同時に電子は導体である気体拡散層と分離板を介してカソードに伝達される。
【０００４】
上記カソードでは電解質膜を介して供給された水素イオンと分離板を介して伝達された電子が、空気供給装置によりカソードに供給された空気中の酸素と反応して水を生成する。この時、発生する水素イオンの移動に起因して外部導線を通した電子の流れが発生し、このような電子の流れにより電流が生成される。
図５は、一般的な燃料電池スタック１の一例を示しており、図６は、上記スタックに使用される分離板（ＢＰ）のうちの１つであるアノードプレート（ＡＰ）１０を示している。
【０００５】
車両用燃料電池スタック１は、複数のセル５が直列に連結される構造であり、発電に必要な空気及び水素が、図５に示すように、スタック１の一方の端部から供給及び排出される構造を有してもよい。
すなわち、空気及び水素が共用分配器２を介してマニホールドの孔があけられたオープンエンドプレート（ｏｐｅｎ  ＥＰ）３に流入されてスタック発電部７を循環した後、再びオープンエンドプレート３を介して排出される。ここで、カソード循環（Ｃａｔｈｏｄｅ  ｌｏｏｐ）の場合、加湿器（図示せず）を介してスタック１に供給された空気がスタック１を通過し再び加湿器を介して車両外部に排出される。また、アノード循環（Ａｎｏｄｅ  ｌｏｏｐ）の場合、水素タンク（図示せず）から供給された水素が水素供給システム（ＦＰＳ、図示せず）を介してスタック１に供給され、スタック１から排出された残余水素はＦＰＳとスタックとの間を循環し続ける。
【０００６】
上記スタック発電部７のそれぞれのセル５は、アノードプレート（ＡＰ）−気体拡散層（ＧＤＬ）−膜電極接合体（ＭＥＡ）−気体拡散層（ＧＤＬ）−カソードプレート（ＣＰ）の積層構造を有するが、上記アノードプレート１０及びカソードプレートは、図６に示すように、水素、冷却水、及び空気がそれぞれ通過するマニホールド１２，１４，１６を両端に備えている。
この時、上記アノードプレート１０には、図６に示すように、水素マニホールド１２と連通する水素入口／出口ホール１３が形成されており、上記アノードプレートのセル反応面に形成された水素流路１５を介して水素が通過する。
【０００７】
上記アノードプレート１０の外郭及びマニホールド１２，１４，１６の外郭を囲むガスケット１８は、上記マニホールド１２，１４，１６及び水素流路１５を通過する各流体の気密性を維持し、水素マニホールド１２を通過する水素だけ上記水素入口／出口ホール１３を介して水素流路１５を通過することができる。また、カソードプレートには、上記原理と同様に、空気マニホールドと連通する空気入口／出口ホールが形成されており、上記カソードプレートのセル反応面に形成された空気流路を介して空気が通過する。
【０００８】
一方、上記のような燃料電池スタックの循環過程において、スタック発電部のカソード入口（Ｃａｔｈｏｄｅ  ＩＮ）側には、加湿器−共用分配器−エンドプレート−スタック（分離板）マニホールドを介して凝縮水などが流入し、アノード入口（Ａｎｏｄｅ  ＩＮ）側には、ＦＰＳ−共用分配器−エンドプレート−スタック（分離板）マニホールドを介して凝縮水と、カソードからＭＥＡ膜を介して水が流入する。
このような場合、流入した水は、オープンエンドプレート３に接する最外郭セルに流入するため、セル電圧の急激な下降／上昇の繰り返し、セル内部に存在する多量の水によるＭＥＡ触媒劣化を起こす。このような現象は、閉ループ（Ｃｌｏｓｅｄ  Ｌｏｏｐ）で構成されたアノード循環（Ａｎｏｄｅ  ｌｏｏｐ）ではさらに深刻である。また、マニホールドの孔のないクローズエンドプレート（ｃｌｏｓｅ  ＥＰ）４の近くの最外郭セルは、分離板のインレットマニホールドを介して水素や空気が供給される時、スタックの長手方向のマニホールドで凝縮された水が上記クローズエンドプレート４側に偏って最外郭セルに流入する。
【０００９】
セル内部のＭＥＡを加湿する水分以外の凝縮水をスタック内部で除去することは、燃料電池車両の性能安定性及び耐久性に対する非常に重要な技術的課題である。このために、従来、車両の運転／制御技術やウォータータラップ（ｗａｔｅｒ  ｔｒａｐ）などを設けて水を除去したが、完全に水を除去することは困難である。
特許文献１では、スタック発電部の終端（エンドセル及びエンドプレート）部分にバイパスプレート（ｂｙｐａｓｓ  ｐｌａｔｅ）と中間プレート（ｉｎｔｅｒｍｅｄｉａｔｅ  ｐｌａｔｅ）の構造を別に構成し、水素や空気がスタック発電部に供給される時、共に注がれる凝縮水などが発電部に流入せず、スタックの外部に排出される構成を提示した。しかしながら、上記特許の構成では、スタックの構成部品にバイパスプレート（ｂｙｐａｓｓ  ｐｌａｔｅ）と中間プレート（ｉｎｔｅｒｍｅｄｉａｔｅ  ｐｌａｔｅ）を別に開発及び製作しなければならず、スタックの全体的な部品構成が複雑になる短所がある。
【先行技術文献】
【特許文献】
【００１０】
【特許文献１】米国特許ＵＳ７，１６３，７６０
【特許文献２】特開２０１１−０５４４２３号公報
【発明の概要】
【発明が解決しようとする課題】
【００１１】
本発明は、上記技術的課題解決のためになされたものであり、従来の燃料電池スタックを構成するセル構造とほぼ同様の構成を組み合わせてエンドセル部に位置させるという簡単な構成により効果的に凝縮水を排出できる燃料電池スタックを提供することにその目的がある。
【課題を解決するための手段】
【００１２】
上記目的を達成するための本発明に係る水排出構造を有する燃料電池スタックは、複数のセルがスタック両端のエンドプレート（ＥＰ）の間に積層された燃料電池スタックであって、スタック発電部のエンドセルと上記両端のエンドプレート（ＥＰ）との間にはスタックの水排出のためのダミーセルとしてアノードに水素が流入するがカソードに空気が流入することがなくカソードの水排出だけが行われるカソードダミーセル（ＣＤ）とカソードに空気が流入するがアノードに水素が流入することがなくアノードの水排出だけが行われるアノードダミーセル（ＡＤ）がそれぞれ少なくとも一側に１つ以上積層されることを特徴とする。
【００１３】
この時、上記カソードダミーセル（ＣＤ）は、カソードプレート（ＣＰ）及びエンドアノードプレート（ＥＡＰ）分離板を含んで形成され、上記アノードダミーセル（ＡＤ）は、アノードプレート（ＡＰ）及びエンドカソードプレート（ＥＣＰ）分離板を含んで形成されることを特徴とする。
【００１４】
本発明の実施例で、上記エンドアノードプレート（ＥＡＰ）は、アノードプレート（ＡＰ）の水素入口／出口ホールが除去されて形成され、上記エンドカソードプレート（ＥＣＰ）は、カソードプレート（ＣＰ）の空気入口／出口ホールが除去されて形成されることを特徴とする。
【００１５】
また、上記カソードダミーセル（ＣＤ）のカソードプレート（ＣＰ）とエンドアノードプレート（ＥＡＰ）との間と、上記アノードダミーセル（ＡＤ）のアノードプレート（ＡＰ）とエンドカソードプレート（ＥＣＰ）との間には、気体拡散層（ＧＤＬ）をさらに含むことが好ましい。
【００１６】
また、上記カソードダミーセル（ＣＤ）及びアノードダミーセル（ＡＤ）は、膜電極接合体（ＭＥＡ）を含まず、２つの気体拡散層（ＧＤＬ）が互いに接合して積層されてもよい。
【００１７】
本発明の実施例によれば、上記エンドセルまたはダミーセルがスタック両端のエンドプレート（ＥＰ）に接する面には、ダミーエンドプレートとしてエンドカソードプレート（ＥＣＰ）またはエンドアノードプレート（ＥＡＰ）がさらに積層されることを特徴とする。
【００１８】
また、スタック両端のエンドプレート（ＥＰ）と上記ダミーエンドプレートとの間には気体拡散層（ＧＤＬ）がさらに積層されることを特徴とする。
【発明の効果】
【００１９】
本発明に係る水排出構造を有する燃料電池スタックによれば、エンドアノードプレート（ＥＡＰ）及びエンドカソードプレート（ＥＣＰ）を通常のカソードプレート（ＣＰ）及びアノードプレート（ＡＰ）と組み合わせてダミーセルを構成し、上記ダミーセルをエンドセル部に位置させることにより効果的に凝縮水を排出でき、スタックセルへの水の流入を最小化することができる。
また、本発明に使用されるエンドアノードプレート（ＥＡＰ）及びエンドカソードプレート（ＥＣＰ）は、従来のアノードプレート（ＡＰ）及びカソードプレート（ＣＰ）で水素（または空気）入口／出口ホールのみ除去したものであり、従来のアノードプレート及びカソードプレートの成形工程において、水素（空気）入口／出口ホールを製作するパンチング過程を省略して製作できるため、製作工程が簡単であり、製作設備の追加が不要であるため費用を節減することができる。
【図面の簡単な説明】
【００２０】
【図１】本発明の一実施例に係る燃料電池スタックの積層構造を示す図面である。
【図２】本発明の実施例で使用されるエンドアノードプレート（ＥＡＰ）を示す斜視図である。
【図３】一般的なセル構成からなる従来のスタック発電部において、オープンエンドプレートから流入する水がセルに流入する様態を示すグラフである。
【図４】人為的に水を注入する場合、従来のスタック構造と本発明の実施例に係るスタック構造におけるセル電圧変動状況を示すグラフである。
【図５】燃料電池スタックの構成を示す概略図である。
【図６】従来技術に係るアノードプレート（ＡＰ）を示す斜視図である。
【発明を実施するための形態】
【００２１】
以下、添付した図面を参照して本発明の好ましい実施例を詳細に説明する。
図１は、本発明の一実施例に係る燃料電池スタックの積層構造を示し、図２は、本発明の実施例で使用されるエンドアノードプレート（ＥＡＰ）の構成を示す。
本発明は、スタックに流入する凝縮水を効果的に排出するためにスタック発電部のエンドセルとスタック両端のエンドプレート（ＥＰ）との間に積層されるダミーセルを含む。
通常のセル構造は、アノードプレート（ＡＰ）−気体拡散層（ＧＤＬ）−膜電極接合体（ＭＥＡ）−気体拡散層（ＧＤＬ）−カソードプレート（ＣＰ）で構成されるが、本発明の実施例で使用されるダミーセルは、カソードプレート（ＣＰ）−エンドアノードプレート（ＥＡＰ）を含むカソードダミーセルまたはアノードプレート（ＡＰ）−エンドカソードプレート（ＥＣＰ）を含むアノードダミーセルで構成される。
【００２２】
本発明で使用されるエンドアノードプレート（ＥＡＰ）とエンドカソードプレート（ＥＣＰ）は、従来のアノードプレート（ＡＰ）及びカソードプレート（ＣＰ）から水素入口／出口ホールと空気入口／出口ホールを除去したものである。  図２に示す通り、本発明の実施例に係るエンドアノードプレート１００は、両端に水素マニホールド１２０、冷却水マニホールド１４０、及び空気マニホールド１６０を備えており、従来のアノードプレート（ＡＰ）と同一の形状で製作される。
ただし、エンドアノードプレート１００は、水素マニホールド１２０と連通する水素入口／出口ホールを備えていないため、水素マニホールド１２０を通過する水素気体がガスケット１８０により遮断され、エンドアノードプレート１００のセル反応面に流入することはない。また、本発明の実施例に係るエンドカソードプレート（ＥＣＰ）も空気マニホールドと連通する空気入口／出口ホールを備えていないため、空気マニホールドを通過する空気が上記エンドカソードプレート（ＥＣＰ）のセル反応面に流入することはない。
【００２３】
本発明の実施例に係るダミーセルは、化学反応を行わず、水排出のために積層されるセルであって、上記エンドアノードプレート（ＥＡＰ）またはエンドカソードプレート（ＥＣＰ）を含んで構成される。すなわち、アノードの水排出のためのアノードダミーセル（ＥＤ）は、アノードプレート（ＡＰ）とエンドカソードプレート（ＥＣＰ）を含んで構成され、カソードの水排出のためのカソードダミーセル（ＣＤ）は、カソードプレート（ＣＰ）とエンドアノードプレート（ＥＡＰ）を含んで構成される。
上記アノードダミーセル（ＥＤ）には、アノードプレート（ＡＰ）を介して水素が流入するが、エンドカソードプレート（ＥＣＰ）を介して空気が流入することはないため、燃料電池の化学反応が起こることがなく、アノードの水排出だけが行われる。同様に、上記カソードダミーセル（ＣＤ）には、カソードプレート（ＣＰ）を介して空気が流入するが、エンドアノードプレート（ＥＡＰ）を介して水素気体が流入することはないため、燃料電池の化学反応が起こることがなく、カソードの水排出だけが行われる。
【００２４】
一方、本発明の実施例において、上記カソードダミーセル（ＣＤ）のカソードプレート（ＣＰ）とエンドアノードプレート（ＥＡＰ）との間には気体拡散層（ＧＤＬ）をさらに含む。上記気体拡散層（ＧＤＬ）は、分離板間の電気的接触を維持できるようにし、ＭＥＡが入らないカソードダミーセル（ＣＤ）に、ガスケットの圧縮後、セルの内部空間をその厚さに合わせて満たすことにより、構造的な安定性を維持させる。好ましくは、上記カソードダミーセル（ＣＤ）の内部には、２つの気体拡散層（ＧＤＬ）が互いに接合された気体拡散層接合体（ＧＧ）が積層されるようにしてもよく、これによって、通常のセルの厚さに合わせて構造的安定性を維持することができる。上記気体拡散層（ＧＤＬ）は、アノードダミーセル（ＡＤ）のアノードプレート（ＡＤ）とエンドカソードプレート（ＥＣＰ）との間にも同様に積層することができる。
【００２５】
図１は、上記ダミーセルを本発明の一実施例により配置したスタックの構成を示すものである。図１に示すように、複数のセル５が繰り返されるスタック発電部のエンドセルとエンドプレートとの間には、本発明の実施例に係るカソードダミーセル３００またはアノードダミーセル３２０が積層される。
この時、図面符号「３０」は、ＧＤＬ−ＭＥＡ−ＧＤＬが接合された５レイヤーＭＥＡを示し、図面符号「６０」は、２つのＧＤＬが接合された気体拡散層接合体（ＧＧ）を示す。また、図１は、本発明の一実施例であって、スタック両端がオープンエンドプレート３とクローズエンドプレート４で構成されたことを示しているが、スタック両端が両方ともオープンエンドプレートで構成されてもよく、図１に示すセル構成は、スタックモジュールの＋、−方向に応じてその反対に構成されてもよい。
【００２６】
図１に示す本発明の実施例は、オープンエンドプレート３−カソードダミーセル３００−アノードダミーセル３２０−一般セル５の繰り返し−アノードダミーセル３２０−カソードダミーセル３００−クローズエンドプレート４で構成される。上記実施例でオープンエンドプレート３側に積層されたカソードダミーセル３００には空気の流入のみが行われ、アノードダミーセル３２０には水素の流入のみが行われる。したがって、オープンエンドプレート３の空気マニホールドを介して流入する水は、大部分上記カソードダミーセル３００を介してスタックの出口に排出され、オープンエンドプレート３の水素マニホールドを介して流入する水は、大部分上記アノードダミーセル３２０を介してスタックの出口に排出される。
【００２７】
また、スタックマニホールドの長手方向に沿って、マニホールドで凝縮されてクローズエンドプレート４側に流入する水は、クローズエンドプレート４側に積層されたカソードダミーセル３００とアノードダミーセル３２０を介して同じ方法で排出される。したがって、本発明によれば、スタック発電部の両端の最外郭部に位置したエンドセルへの水の流入を最小にでき、スタックに流入する水は効果的に除去される。
本発明で燃料電池スタックは、上記カソードダミーセル３００とアノードダミーセル３２０を様々な組み合わせにより積層することができる。すなわち、上記カソードダミーセル３００とアノードダミーセル３２０がそれぞれスタック発電部のエンドセルと両端のエンドプレート３，４との間の少なくとも一側に１つ以上積層される構造であれば、様々な組み合わせ及び数量の構成が可能である。
【００２８】
一方、本発明の他の実施例によれば、スタック発電部のエンドセルまたはダミーセルがスタック両端のエンドプレート３，４に接する面には、ダミーエンドプレートとしてエンドカソードプレート２００またはエンドアノードプレート１００がさらに積層できる。上記ダミーエンドプレートは、上記エンドプレート３，４に接するエンドセルまたはダミーセルの最外郭分離板と接合して冷却水流路を形成することができる。また、上記ダミーエンドプレートが、エンドカソードプレート２００またはエンドアノードプレート１００で構成されることにより、エンドプレート３，４側の集電板に水素または空気が流入しないようにする。
【００２９】
また、本発明の実施例によれば、スタック発電部のエンドセルまたはダミーセルの最外郭分離板とエンドプレート３，４との間、またはダミーエンドプレートとエンドプレート３，４との間には気体拡散層４０がさらに積層されてもよい。  導体からなる上記気体拡散層４０が挿入されることにより、エンドプレート３，４の内部に挿入された集電板と最外郭分離板（またはダミーエンドプレート）との間の電気的接触が可能になる。
このように本発明に係る燃料電池スタックは、簡単な構成によりスタックの水排出構造を形成することができる。すなわち、本発明で使用されるエンドアノードプレート（ＥＡＰ）及びエンドカソードプレート（ＥＣＰ）は、従来のアノードプレート（ＡＰ）及びカソードプレート（ＣＰ）で水素（または空気）入口／出口ホールのみ除去したものであり、従来のアノードプレート及びカソードプレートの成形工程において、水素（空気）入口／出口ホールを製作するパンチング過程を省略して製作できるため、製作工程が簡単で、効率的に凝縮水を排出することができる。
【００３０】
本発明の実施例に係る燃料電池スタックの効果を説明するために、図３は、通常のセル構成からなる従来のスタック発電部において、オープンエンドプレートから流入する水がセルに流入する様態を示しており、図４は、人為的に水を注入する場合、従来のスタック構造と本発明の実施例に係るスタック構造におけるセル電圧変動状況を示している。
図３に示すように、一般的なスタック構造において、スタックに水が流入する場合、水流入の開始から１〜２秒内に大部分の水は第１セルに流入し、相当量の水が第２セルに流入し、その後のセルには水がほぼ流入しないことが分かる。
したがって、凝縮水などの水がスタックに流入する場合、最外郭付近のセル（エンドセル部）が最もぜい弱であると予想される。
【００３１】
図４は、実際のスタックモジュールを用いてアノード入口に悪条件である３０ｇ／ｓｅｃの水を注入した場合の従来のスタック構造と本発明のスタック構造を示している。従来のスタック構造では、水の注入後、直ちに第１セルの性能（電圧）が急激に低下し、第２セルにも影響を及ぼすが、本発明のスタック構造では、数百秒が過ぎてもエンドセル付近の急激なセル性能（電圧）の低下はなかった。  これは流入する大部分の水が本発明に適用されたダミーセルに流入し、直ちに排出されるため、発電部セルへの水の流入が最小になることが分かる。
したがって、本発明に係る燃料電池スタックは、実際の車両において、スタックへの水の流入によるセル性能の不安定性、過量の水がセル内部に存在することによるＭＥＡ触媒劣化を最小にすることができる。
【００３２】
以上、本発明に関する好ましい実施形態を説明したが、本発明は前記実施形態に限定されず、本発明の属する技術範囲を逸脱しない範囲での全ての変更が含まれる。
【符号の説明】
【００３３】
１  燃料電池スタック
２  共用分配器
３  オープンエンドプレート
４  クローズエンドプレート
５  セル
７  スタック発電部
１０  アノードプレート（ＡＰ）
２０  カソードプレート（ＣＰ）
３０  ５レイヤーＭＥＡ
４０  気体拡散層（ＧＤＬ）
６０  気体拡散層接合体（ＧＧ）
１００  エンドアノードプレート（ＥＡＰ）
１２０  水素マニホールド
１４０  冷却水マニホールド
１６０  空気マニホールド
１８０  ガスケット
２００  エンドカソードプレート（ＥＣＰ）
３００  カソードダミーセル
３２０  アノードダミーセル
【図１】
0005791940.tif 000002
【図２】
0005791940.tif 000003
【図３】
0005791940.tif 000004
【図４】
0005791940.tif 000005
【図５】
0005791940.tif 000006
【図６】
0005791940.tif 000007